(57)【要約】      （修正有）【課題】対で用いられた場合に、眼鏡を、鼻パッドが装着者の鼻の上側に維持されるように支えるテンプルバーカムを有する眼鏡を備えた眼鏡支持具を提供する。【解決手段】眼鏡１１０のテンプルバーを受けるように構成されたテンプルバー受け部を備えて形成されたテンプルバーカム１００であって、テンプルバーカムは、眼鏡のテンプルバーがテンプルバー受け部に挿入され、眼鏡がユーザー１０２によって装着された場合に、テンプルバー受け部の周りに長さ方向に回転してユーザーの顔と接触し、眼鏡の下向きの動きを抑制するように構成された、テンプルバーカム、を備えた、眼鏡支持具。【選択図】図１
2020101795.tif 000002
【特許請求の範囲】
【請求項１】
眼鏡支持具であって：
眼鏡のテンプルバーを受けるように構成されたテンプルバー受け部を備えて形成されたテンプルバーカムであって、前記テンプルバーカムは、眼鏡の前記テンプルバーが前記テンプルバー受け部に挿入され、前記眼鏡がユーザーによって装着された場合に、前記テンプルバー受け部の周りに長さ方向に回転して前記ユーザーの顔と接触し、眼鏡の下向きの動きを抑制するように構成された、テンプルバーカム、
を備えた、眼鏡支持具。
【請求項２】
前記テンプルバーカムが、医療グレードのシリコーンを含む、請求項１に記載のテンプルバーカム。
【請求項３】
前記テンプルバーカムが、円錐台形状を備える、請求項２に記載のテンプルバーカム。
【請求項４】
円錐形状の孔をさらに備える、請求項３に記載のテンプルバーカム。
【請求項５】
横面と、前記横面上、前記テンプルバー受け部の近くにあり、前記横面から前記テンプルバー受け部まで延びている長方形開口部と、をさらに備える、請求項４に記載のテンプルバーカム。
【請求項６】
前記テンプルバーカムが、テンプルバーが前記テンプルバーカムに通された場合に、前記円錐台形状の第一の変形を取る、請求項５に記載のテンプルバーカム。
【請求項７】
前記テンプルバーカムが、前記テンプルバーの下向きの動きを抑制する際に、前記円錐台形状の第二の変形を取る、請求項６に記載のテンプルバーカム。
【請求項８】
円錐台形状、上部、基部、及び横面を有するカム；
前記上部から前記基部まで延び、前記上部及び前記基部の中心に置かれ、円錐台形状を有する円錐形状の孔；
前記上部から前記基部まで延び、前記横面の近くにあるテンプルバー受け部、
を備え、
前記円錐形状の孔は、前記テンプルバー受け部と前記カムの反対側との間に圧力が生じた場合に、前記カムの前記形状の変形を促進するように構成されており、並びに
前記テンプルバー受け部は、眼鏡のテンプルバーを受けることによって、前記テンプルバーが眼鏡装着者の顔に接触して静止される際に前記カムを回転させることで、眼鏡の鼻パッドが前記眼鏡装着者の鼻に接触して静止することを防止するように構成されている、
テンプルバーカム。
【請求項９】
前記テンプルバー受け部から、前記テンプルバー受け部の近くの前記横面の一部分まで延びている長方形開口部をさらに備える、請求項８に記載のテンプルバーカム。
【請求項１０】
前記カムが、シリコーンゴムを含む、請求項８に記載のテンプルバーカム。
【請求項１１】
前記シリコーンゴムが、医療グレードのシリコーンを含む、請求項１０に記載のテンプルバーカム。
【請求項１２】
左のテンプルバー及び右のテンプルバーを有する眼鏡；
前記左のテンプルバー上の左テンプルバーカム；及び
前記右のテンプルバー上の右テンプルバーカム、
を備えた、眼鏡支持システム。
【請求項１３】
前記左テンプルバーカム及び前記右テンプルバーカムが、医療グレードのシリコーンを含む、請求項１２に記載の眼鏡支持システム。
【請求項１４】
前記左テンプルバーカム及び前記右テンプルバーカムが、各々、基部及び上部を有する円錐台形状を備える、請求項１２に記載の眼鏡支持システム。
【請求項１５】
前記左テンプルバーカム及び前記右テンプルバーカムが、前記眼鏡が装着された場合に各々の前記基部が前方を向くように配向されている、請求項１４に記載の眼鏡支持システム。
【請求項１６】
前記左テンプルバーが、前記左テンプルバーの前記上部から前記左テンプルバーの前記基部まで延びている円錐形状の孔をさらに備え、前記右テンプルバーが、前記右テンプルバーの前記上部から前記右テンプルバーの前記基部まで延びている円錐形状の孔をさらに備える、請求項１４に記載の眼鏡支持システム。
【請求項１７】
前記眼鏡が、鼻パッドをさらに備え、前記左テンプルバーカム及び前記右テンプルバーカムが、前記鼻パッドが前記眼鏡を装着しているユーザーの鼻に接触しない高い位置で前記眼鏡を支えるように構成されている、請求項１２に記載の眼鏡支持システム。
【請求項１８】
前記左テンプルバーカム及び前記右テンプルバーカムが、各々、前記眼鏡を前記高い位置で支えるために前記ユーザーの顔を押すように構成されたカムローブを備える、請求項１７に記載の眼鏡支持システム。
【請求項１９】
前記左テンプルバーカムの前記カムローブ、及び前記右テンプルバーカムの前記カムローブが、前記ユーザーの顔を押す際に形状を変形するように構成されている、請求項１８に記載の眼鏡支持システム。
【請求項２０】
前記左のテンプルバー上の前記左テンプルバーカム及び前記右のテンプルバー上の前記右テンプルバーカムが、各々、ミニカメラを受けるサイズとされている連続孔を備えて形成されている、請求項１２に記載の眼鏡支持システム。
【発明の詳細な説明】
【技術分野】
【０００１】
関連出願
本出願は、２０１８年１１月２７日に出願され、現在同時係属出願中である、「Ｔｅｍｐｌｅ  Ｂａｒ  Ｃａｍ  Ｆｏｒ  Ｅｙｅｇｌａｓｓｅｓ  Ｓｕｐｐｏｒｔ」と題する発明のための米国特許仮出願第６２／７７１，８９１号の優先権の利益を主張するものである。
【０００２】
本発明は、眼鏡と共に使用するための支持器具全般に関する。より詳細には、本発明は、眼鏡を正しい位置に保持するためのカムに関する。本発明は、限定はされないが、特に、装着時に眼鏡が鼻を押す荷重を掛けないようにするための器具として有用である。
【背景技術】
【０００３】
視覚を補助するための装置は、古代から用いられてきた。紀元２世紀には、プトレマイオスが、反射及び屈折の記述を含む光学に関する専門書を執筆したが、その原本は残っていない。古典的な知識が失われたにも関わらず、中世ヨーロッパにおいて、光科学のある程度の進歩が成された。アラビア語で書かれた文書の翻訳によって、最新技術はさらに向上し、中世の後期までには、ヨーロッパで眼鏡が使われていた。１８世紀頃までには、眼鏡は、今日の形態を取り始め、特に、眼鏡を装着者の顔の上で支える補助とするための、耳の上に延びるテンプルバーを有していた。
【０００４】
現代の眼鏡は、材料科学の進歩からの恩恵を受けており、その結果、軽量なフレーム及びレンズとなっている。しかしながら、眼鏡は、依然として、鼻に少なくとも数オンスの荷重を掛けており、普段からの眼鏡の装着者は、眼鏡を装着する結果としての鼻の不快感、赤み、又は凹みを訴える場合がある。したがって、眼鏡が装着者の鼻と接触することに付随する不快感を伴うことのない従来の眼鏡の使用を提供するデバイスが、依然として求められている。
【発明の概要】
【０００５】
本発明は、対で用いられた場合に、眼鏡を、前記眼鏡の鼻パッドが装着者の鼻の上側に維持されるように支えるテンプルバーカムに関する。眼鏡の各テンプルバーに対して１つのテンプルバーカムが配置される。前記眼鏡が装着者の顔に配置される際、前記テンプルバーカムは、ユーザーの側頭部の方へ、内向き及び上向きに回転し、それによって、前記眼鏡の下向きの動きを止め、前記眼鏡を前記ユーザーの鼻の丁度上側の適切な位置に保持する。前記テンプルバーカムは、前記装着者の快適さのために、医療グレードのシリコンなどの柔らかく弾力性のある無毒性材料から作られてよい。他の材料が用いられてもよい。前記装着者の快適さは、前記テンプルバーカムの円錐台形状、及び前記テンプルバーカムの形状の変形性を高めるための各テンプルバーカムを貫通して延びる孔によってさらに向上される。
【０００６】
好ましい実施形態では、各テンプルバーカムは、同一の構成とされ、両端部にある上部及び基部、並びに前記上部と前記基部とを繋いでいる横面を有するボディを備えて形成される。好ましい実施形態では、前記テンプルバーカムの前記上部、基部、及び横面は、円錐台形状を形成している。しかし、数多くの他の形状も利用可能であり、前記円錐台形状は、限定することを意図するものではない。好ましい実施形態では、前記テンプルバーカムは、医療グレードシリコンなどの柔軟性材料から作られ、さらに、前部から前記基部まで前記テンプルバーカムの長さに及ぶ２つの孔を備えて形成される。
【０００７】
第一の孔は、テンプルバー受け部であり、前記ボディ内の前記横面近傍に形成される。前記テンプルバー受け部は、容易に変形可能であり、変形して眼鏡のテンプルバーを受ける。そのように変形されると、前記ボディの未変形部分は、前記変形されたテンプルバー受け部に対するカムローブを形成する。前記カムローブは、前記眼鏡のユーザーの側頭部と接触すると、前記テンプルバー受け部に対して変形可能に回転する。この変形は、前記眼鏡の前記ユーザーの側頭部と接触した際に、前記側頭部及び前記テンプルバー受け部によって前記テンプルバーカムに圧力が及ぼされるまで継続する。この変形は、前記側頭部及び前記テンプルバーによって前記テンプルバーカムに及ぼされる圧力が、前記眼鏡の重さを支え、鼻との接触を避けるのに充分となるまで継続する。
【０００８】
第二の孔は、好ましい実施形態では、円錐形状の孔であり、実質的に前記ボディの中心に沿って位置している。この円錐形状の孔は、使用中の前記カムローブの変形を補助しており、この孔は、前記テンプルバーカムの長さ全体にわたって比較的均一な変形性を維持するために、前記テンプルバーカムの前記ボディの形状に類似の円錐台形状を有する。
【０００９】
本発明の新規な特徴、並びに本発明自体は、その構造及びその操作の両方に関して、添付の記述と合わせて、類似の符号が類似の部分を示す添付の図面から最も良く理解される。
【図面の簡単な説明】
【００１０】
【図１】図１は、ユーザーの顔に装着された場合の眼鏡と共に使用しているテンプルバーカムの好ましい実施形態を示す。
【図２】図２は、ユーザーの顔と接触しているテンプルバーカムの断面図である。
【図３】図３は、眼鏡の鼻パッドがユーザーの鼻に接触して静止した状態となることを防ぐテンプルバーカムを示す。
【図４】図４は、テンプルバーとユーザーの顔との間のテンプルバーカムの配置を示す。
【図５Ａ】図５Ａは、眼鏡の前記テンプルバーに取り付けられたテンプルバーカムの、前記眼鏡がユーザーの顔に装着される前の断面図である。
【図５Ｂ】図５Ｂは、眼鏡の前記テンプルバーに取り付けられたテンプルバーカムの、前記眼鏡がユーザーの顔に装着されつつある際の断面図である。
【図５Ｃ】図５Ｃは、眼鏡のテンプルバーに取り付けられたテンプルバーカムの、前記眼鏡がユーザーの顔の完全に適切な位置にある場合の断面図である。
【図６】図６は、テンプルバーカムの好ましい実施形態の上面図である。
【図７】図７は、テンプルバーカムの好ましい実施形態の底面図である。
【図８】図８は、テンプルバーカムの好ましい実施形態の右側面図である。
【図９】図９は、テンプルバーカムの好ましい実施形態の前面図である。
【図１０】図１０は、テンプルバーカムの好ましい実施形態の背面図である。
【図１１】図１１は、テンプルバーカムの好ましい実施形態の上前面透視図である。
【図１２】図１２は、テンプルバーカムの好ましい実施形態の下背面透視図である。
【図１３】図１３は、テンプルバー受け部のための突出部を備えた円筒形状のカムローブを有するテンプルバーカムの別の選択肢としての実施形態の透視図である。
【図１４】図１４は、眼鏡のテンプルバーに取り付けられた図１３のテンプルバーカムを示す。
【図１５】図１５は、フック形状のカムローブを有するテンプルバーカムの別の選択肢としての実施形態の透視図である。
【図１６】図１６は、眼鏡のテンプルバーに取り付けられた図１５のテンプルバーカムを示す。
【図１７】図１７は、Ｃ字形状のカムローブを有するテンプルバーカムの別の選択肢としての実施形態の透視図である。
【図１８】図１８は、眼鏡のテンプルバーに取り付けられた図１７のテンプルバーカムを示す。
【図１９】図１９は、Ｌ字形状の断面を有するテンプルバーカムの別の選択肢としての実施形態の透視図である。
【図２０】図２０は、眼鏡のテンプルバーに取り付けられた図１９のテンプルバーカムを示す。
【図２１】図２１は、アポストロフィ形状を有するテンプルバーカムの別の選択肢としての実施形態の透視図である。
【図２２】図２２は、眼鏡のテンプルバーに取り付けられた図２１のテンプルバーカムを示す。
【図２３】図２３は、靴形状の断面を有するテンプルバーカムの別の選択肢としての実施形態の透視図である。
【図２４】図２４は、眼鏡のテンプルバーに取り付けられた図２３のテンプルバーカムを示す。
【図２５】図２５は、テンプルバーカムの別の選択肢としての実施形態の透視図であり、眼鏡のテンプルバーを受けるための連続孔を有し、前記テンプルバーカムがユーザーの顔に接触して配置された場合に変形し、円筒形状のミニカメラを受けるサイズとされたカメラ受け部として形成されている第一の変形可能孔を備えて形成されている。
【図２６】図２６は、眼鏡のテンプルバーに取り付けられた図２５のテンプルバーカムを示し、及び前記連続孔の中に配置される挿入式ミニカメラを示す。
【図２７】図２７は、テンプルバーカムの別の選択肢としての実施形態の透視図であり、テンプルバーを受けるための一対のテンプルバー受け部、及び前記テンプルバーカムがユーザーの顔に接触して配置された場合に変形する第一の変形可能孔、及び円筒形状のミニカメラを受けるサイズとされ、前記ユーザーの顔から離れた位置に配置されて視野が広げられたカメラ受け部として形成された第二の孔を有する。
【図２８】図２８は、眼鏡のテンプルバーに取り付けられた図２７のテンプルバーカムを示し、及び前記第二の連続孔の中に配置された挿入式ミニカメラを示す。
【発明を実施するための形態】
【００１１】
まず図１を参照すると、使用中の一対のテンプルバーカム１００が示されている。眼鏡の装着者（「ユーザー」）１０２が、眼鏡１１０を装着している様子が示されている。眼鏡１１０が、テンプルバーカム１００の働きを示すために提示されるが、それは代表する意味で示されており、テンプルバーカムは、サングラス、３Ｄ眼鏡、安全眼鏡、色覚補正眼鏡、眼鏡（ｓｐｅｃｔａｃｌｅｓ）、及び他の類似の器具などの他の類似の構造を有するアイウェアと共に用いることができる。眼鏡１１０は、典型的には、通常はユーザー１０２の鼻に接触して静止することになる鼻パッド１１２を備え、これが、眼鏡１１０の重さの実質的な部分を、ユーザー１０２の鼻１０４に掛ける。しかし、左のテンプルバー１１４及び右のテンプルバー１１６には、各々、テンプルバーカム１００が取り付けられている。各テンプルバーカム１００は、ユーザー１０２の顔の横側に接触して静止しており、重さが鼻１０４に掛からないように、眼鏡１１０を持ち上げている。眼鏡は２つのテンプルバーを有することから、通常は、各テンプルバーに１つずつ、２つのテンプルバーカム１００が同時に用いられる。
【００１２】
好ましい実施形態では、テンプルバーカム１００は、シリコーンゴムから作られており、以下で述べるように、テンプルバーカム１００の形状が、使用中に変形し、使用後には元の形状に戻ることができるように、高い度合いの弾性が与えられている。好ましい実施形態では、用いられる前記シリコーンゴムは、医療グレードのシリコーンであり、そのため、ユーザー１０２の不快感又は前記ユーザーの皮膚がテンプルバーカム１００と接触している部分の反応を起こすことなしに用いることが可能となる。
【００１３】
次に図２を参照すると、使用中のテンプルバーカム１００が示されている。テンプルバーカム１００は、眼鏡１１０（図１に示される）の左のテンプルバー１１４に取り付けられている。概略的に述べると、テンプルバーカン１００は、眼鏡１１０のテンプルバー１１４を受けるために変形可能に拡がるテンプルバー受け部１２４を備えた変形可能ボディである。左のテンプルバー１１４がテンプルバー受け部１２４に通されると、前記ボディは、変形して、テンプルバー受け部１２４に隣接するローブ１４２及び１４４（図４に示される）を形成する。右のテンプルバー１１６にあるテンプルバーカム１００は、ユーザー１０２の顔の右側と同様に機能するため、別個に記載はしていない。そのように変形すると、前記ボディの残りの部分は、テンプルバー受け部１２４に対するカムローブ１２０の形状を取る。眼鏡１１０が前記ユーザーの顔に、鼻１０４の少し上側に配置された場合、眼鏡１１０が前記ユーザーの耳と接触し、前記ユーザーの鼻に向かって降ろされるに従って、テンプルバーカム１００は、回転方向１１８に変形する。前記回転、又は眼鏡１１０の前記ユーザーの鼻に向かう下降は、テンプルバーカム１００のカムローブ１２０を前記ユーザーの顔の横側に接触させ、それによって、カムローブ１２０は、眼鏡１１０がテンプルバーカム１００によって前記ユーザーの側頭部上に固定されるまで、回転方向１１８に圧縮される。テンプルバーカム１００にある円錐形状の孔１２２は、テンプルバーカム１００が左のテンプルバー１１４とユーザー１０２の顔との間に心地良く静止するように充分に、テンプルバーカム１００を変形可能とする。
【００１４】
次に図３を参照すると、左のテンプルバー１１４及びユーザー１０２の顔によってテンプルバーカム１００に掛けられた圧力で支えられて、テンプルバーカム１００は、適切な位置に保持され、そしてそのテンプルバーカム１００は、方向矢印１３０で表されるように、眼鏡１１０をユーザー１０２の鼻１０４の上側に保持する。この結果、各鼻パッド１１２とユーザー１０２の鼻１０４との間に、小ギャップ１３２が生ずる。したがって、鼻パッド１１２は、ユーザー１０２の鼻１０４に対して圧力を掛けず、前記鼻パッドが鼻に刺激、赤み、又は凹みを起こすこともない。
【００１５】
次に図４を参照すると、眼鏡１１０が装着されるに従って、テンプルバーカム１００は、方向矢印１４０で示される動きを起こし、カムローブ１２０が、左のテンプルバー１１４とユーザー１０２の顔の横側との間に引き込まれる。その結果、眼鏡１１０は、そうでなければ占めることになる位置よりも上側の適切な位置に保持される。図４にはまた、テンプルバーがテンプルバー受け部１２４に通される際に作られるテンプルバーカム１００の一部分の突出部を含むローブ１４２及び１４４も示される。
【００１６】
次に図５Ａを参照すると、ここでは左のテンプルバー１１４で示されるテンプルバーが、テンプルバー受け部１２４に通される場合、テンプルバーカム１００は、テンプルバー１１４が通されているテール部を横側に有する円に見える断面形状を取る。前記テール部は、図４に示されるローブ１４２及び１４４に相当する。テンプルバーカム１００の残りの円部分は、眼鏡１１０（図１に示される）の下向きの動きを停止するように働くカムローブ１２０を定める。
【００１７】
図５Ｂに示されるように、眼鏡１１０（図１に示される）がユーザー１０２の顔に配置され、眼鏡１１０がその静止する位置へ下降し始めると、ユーザー１０２の側頭部と前記テンプルバーのカムローブ１２０との間の接触によって、カムローブ１２０は、前記顔に向かって内向きに変形可能に回転する。前記内向きの回転の動きは、テンプルバー１１４がその下向きの動きを継続するに従ってテンプルバーカム１００の形状をある程度変形させるテンプルバーカム１００の弾力性によって促進される。
【００１８】
図５Ｃに示されるように、テンプルバーカム１００の形状の前記変形は、テンプルバー１１４が最終的に、ユーザー１０２の顔とは反対側のカムローブ１２０の横側に配置される結果となる。カムローブ１２０の形状は、ユーザー１０２に不快感を引き起こすことを避けるために、テンプルバーカム１００の弾力性及び円錐形状の孔１２２の存在の組み合わせによって、その元の円形状から変形される。この時点で、カムローブ１２０の回転の動き及び変形は停止し、テンプルバー１１４は、それ以上その下向きの動きを継続せず、テンプルバーカム１００によって、鼻と接触することなく適切な位置に保持される。
【００１９】
次に図６を参照すると、テンプルバーカム１００の好ましい実施形態は、上側基部又は「上部」１５０（図８に示される）の直径が下側基部又は「基部」１５２（図７に示される）よりも小さい円錐台形状を有し、テンプルバー上にない場合は円形状の断面を有する。この円錐台形状により、テンプルバーカム１００とユーザー１０２の側頭部との間の、テンプルバーカム１００の長さ全体にわたる接触が確保される。円錐形状の孔１２２及びテンプルバー受け部１２４は、上部１５０から基部１５２まで延び、いくつかの実施形態では、テンプルバーカム１００が作製される射出成形プロセスの一部として形成され、一方他の実施形態では、それらは、前記円錐台形状をまず製造した後に、テンプルバーカム１００に切り込んで形成される。
【００２０】
好ましい実施形態では、円錐形状の孔１２２及びテンプルバー受け部１２４に加えて、開口部１５４が、横面１５６からテンプルバー受け部１２４まで伸びている。好ましい実施形態では、開口部１５４は、長方形の形状を有するが、本発明から逸脱することなく、他の形状が用いられてもよい。開口部１５４の存在は、弾力性がありテンプルバー上に位置することができる２つのバンド１５４Ａ及び１５４Ｂ（図１１に示される）を形成する。前記開口部により、テンプルバーカム１００のテンプルバー受け部１２４中へ前記テンプルバーを配置することが容易となる。
【００２１】
次に図７を参照すると、図６のテンプルバーカム１００の底面図が示され、基部１５２及び円錐形状の孔１２２及びテンプルバー受け部１２４を示す。図７に示されるように、好ましい実施形態では、円錐形状の孔１２２も円錐台形状であり、テンプルバーカム１００の上部１５０（図８に示される）にある端部が狭く、テンプルバーカム１００の基部１５２にある端部が広くなっている。
【００２２】
次に図８を参照すると、図６のテンプルバーカム１００の右側面図が示され、横面１５６が基部１５２から上部１５０まで先細となっている様子を示す。円錐形状の孔１２２は、この視点からは視認できないが、破線で示されており、それによって、それも、テンプルバーカム１００の基部１５２から上部１５０まで先細となっていることが分かり、一方テンプルバー受け部１２４は、好ましい実施形態では、全体を通して同じ直径を有している。
【００２３】
テンプルバーカム１００を使用するために、眼鏡１１０（図１に示される）のテンプルバーは、基部１５２から入れて上部１５０から出すことでテンプルバー受け部１２４に通して配置され、それによって、眼鏡１１０が装着された場合に、基部１５２は、ユーザー１０２の顔の前側に向く（図１に示される）。
【００２４】
次に図９を参照すると、図６のテンプルバーカム１００の前面図が示され、長方形開口部１５４を示す。円錐形状の孔１２２及びテンプルバー受け部１２４（図７に示される）とは異なり、開口部１５４は、基部１５２から上部１５０まで延びておらず、そうではなく、基部１５２と上部１５０との間の実質的に中央にある。この結果、長方形開口部１５４の上側及び下側にある横面１５６の一部分（図７に示される）が、テンプルバーがテンプルバー受け部１２４に通される際に外向きに押されるために、ローブ１４２及びローブ１４４（図４に示される）が形成される。
【００２５】
次に図１０を参照すると、図６のテンプルバーカム１００の背面図が示される。長方形開口部１５４は、テンプルバー受け部１２４までしか到達しておらず（図７に示される）、したがって、テンプルバーカム１００の反対側からは視認できないために、破線で示される。
【００２６】
次に図１１を参照すると、図６のテンプルバーカム１００の上前面透視図が示される。ここでは、テンプルバーカム１００の円錐台形状が明確に視認可能であり、一方円錐形状の孔１２２の円錐台形状は、破線によって明示されている。他方、テンプルバー受け部１２４の形状は、円筒形状である。より詳細には、好ましい実施形態では、テンプルバー受け部１２４は、その断面円の中心と横面１５６の最も近いエッジとの間の距離を一定に維持する斜めの円筒形である。図１１では、上部１５０が視認可能であり、円錐形状の孔１２２及びテンプルバー受け部１２４の上側の開口部が示されており、これらのサイズはおよそ類似している。
【００２７】
次に図１２を参照すると、図６のテンプルバーカム１００の下背面透視図が示される。基部１５２が視認可能であり、円錐形状の孔１２２及びテンプルバー受け部１２４の下側開口部も視認可能である。円錐形状の孔１２２の前記下側開口部は、それが円錐台形状であることに起因して、テンプルバー受け部１２４の前記下側開口部よりも明らかに大きいことが分かる。
【００２８】
次に図１３から図２４を参照すると、前記テンプルバーカムの別の選択肢としての実施形態は、異なる形状を有し、そのために、前記テンプルバーカムの形状変化のし易さ及び形状変化の量が様々な度合いで異なる。変形特性及び形状自体の両方によって、前記テンプルバーカムがユーザーの顔に接触して静止する仕方が異なる。したがって、ある特定のユーザーが、他の実施形態に比べて特定の実施形態を好む可能性がある。
【００２９】
次に図１３を参照すると、テンプルバーカムの別の選択肢としての実施形態が示され、全体として２００と称される。テンプルバーカム２００は、実質的に円筒形状で、その中心を通る円筒形状の孔２２２を備えたカムローブ２２０を有する。楕円様の断面を有するテンプルバー受け部２２４は、カムローブ２２０の円筒形状からの突出部を形成している。テンプルバーカム２００の上部面２５０は、その底部面（図示せず）と実質的に類似する外観であり、円筒形状の孔２２２及びテンプルバー受け部２２４はいずれも、上部面２５０から前記底部面まで延びている。テンプルバーカム２００の横面２５６上にある開口部２５４は、前記突出部上に位置し、テンプルバー受け部２２４の内部まで延びている。
【００３０】
次に図１４を参照すると、テンプルバーカム２００が、眼鏡１１０のテンプルバーをテンプルバー受け部２２４に通すことによって使用されている。他の実施形態と同様に、前記眼鏡がユーザーによって装着されると、カムローブ２２０（図１３に示される）は、内向きに回転し、ユーザーの顔の横側を押して、前記眼鏡が前記ユーザーの鼻に接触して静止することを防止する。
【００３１】
図１４に示されるように、眼鏡１１０は、いかなる鼻パッド（図１に示される１１２）もなしで製造することができ、その理由は、前記眼鏡の重さが、前記ユーザーの顔の横側にある前記テンプルバーカム及び耳の上に掛かって延びている前記テンプルバーだけで支えられているからである。このことにより、前記眼鏡とユーザーの顔の前部分との間のいかなる接触も回避され、特に、前記ユーザーの鼻とのいかなる接触も回避される。
【００３２】
次に図１５を参照すると、テンプルバーカムの別の選択肢としての実施形態が示され、全体として３００と称される。テンプルバーカム３００のカムローブ３２０は、貫通孔を有していないが、カムローブ３２０のフック又はくちばし形状が、凹面を提供し、その凹面が、円錐形状の孔１２２がテンプルバーカム１００に（図２に示される）及び円筒形状の孔２２２がテンプルバーカム２００に（図１３に示される）提供するものと類似の柔軟性を提供する。テンプルバー受け部３２４は、カムローブ３２０のくちばし形状からの突出物に位置し、他の実施形態の場合と同様に、テンプルバーカム３００の上部面３５０から底部面（図示せず）まで伸びる孔である。テンプルバーカム３００は、横面３５６も有する。
【００３３】
次に図１６を参照すると、テンプルバーカム３００が、眼鏡１１０のテンプルバーをテンプルバー受け部３２４に通すことによって使用されている。他の実施形態と同様に、前記眼鏡がユーザーによって装着されると、カムローブ３２０は、内向きに回転し、ユーザーの顔の横側を押して、前記眼鏡が前記ユーザーの鼻に接触して静止することを防止する。
【００３４】
次に図１７を参照すると、テンプルバーカムの別の選択肢としての実施形態が示され、全体として４００と称される。テンプルバーカム４００では、カムローブ４２０が、テンプルバー受け部４２４から離れる方向にＣ字形状に延びている。上部面４５０及び実質的に類似する底部面は、前記Ｃ字形状の断面を反映し、横面４５６で囲まれている。他の実施形態と同様に、テンプルバー受け部４２４は、上部面４５０から前記底部面（図示せず）まで、テンプルバーカム４００全体を通って延びている。前記Ｃ字形状のカムローブ４２０の内側の凹み部分は、使用時にテンプルバーカム４００が変形するためのある度合いの柔軟性を提供する。
【００３５】
次に図１８を参照すると、テンプルバーカム４００が、眼鏡１１０のテンプルバーをテンプルバー受け部４２４に通すことによって使用されている。他の実施形態と同様に、前記眼鏡がユーザーによって装着されると、カムローブ４２０は、内向きに回転し、ユーザーの顔の横側を押して、前記眼鏡が前記ユーザーの鼻に接触して静止することを防止する。
【００３６】
次に図１９を参照すると、テンプルバーカムの別の選択肢としての実施形態が示され、全体として５００と称される。
【００３７】
テンプルバーカム５００は、Ｌ字形状である。「Ｌ」の文字は、縦線の部分又は「ステム」と、前記ステムと直交し、前記ステムの下端部から右向きに延びる横線の部分又は「レッグ」とから構成されている。前記レッグは、ほとんどの場合前記ステムよりも長さが短く、テンプルバーカム５００の対応する部分も例外ではない。図１９では、テンプルバーカム５００は、「Ｌ」が９０度時計回りに回転したかのように、前記ステムが横向きで示されている。前記ステムの終点、前記レッグの終点、及び前記ステムとレッグとの交差点は、すべて丸みを帯びている。前記レッグは、前記交差点と終点との間に凹んだ側部を有する。
【００３８】
孔５２２は、前記ステムの前記終点の近くに位置し、テンプルバー受け部５２４は、前記レッグの前記終点の近くに位置する。孔５２２及びテンプルバー受け部５２４はいずれも、テンプルバーカム５００の上部面５５０から底部面まで延びている。横面５５６は、前記Ｌ形状の周囲を囲んで延びている。
【００３９】
テンプルバーカム５００では、孔５２２は、テンプルバー受け部５２４と同様の形状とされ、孔５２２とテンプルバー受け部５２４の役割を逆にすることができることから、ユーザーにある程度の柔軟性を与える。より詳細には、前記ユーザーの好みに応じて、前記ユーザーは、テンプルバーを、テンプルバー受け部５２４ではなく孔５２２に通すように決めてもよく、それによって、テンプルバーカム５００の使用時に異なる感覚が得られる。
【００４０】
次に図２０を参照すると、テンプルバーカム５００が、眼鏡１１０のテンプルバーをテンプルバー受け部５２４に通すことによって使用されている。別の選択肢として、前記テンプルバーは、孔５２２に通されてもよい。他の実施形態と同様に、前記眼鏡がユーザーによって装着されると、カムローブは、内向きに回転し、ユーザーの顔の横側を押して、前記眼鏡が前記ユーザーの鼻に接触して静止することを防止する。テンプルバー５００の前記カムローブとして働く部分は、前記テンプルバーがテンプルバー受け部５２４に通されるか又は孔５２２に通されるかに応じて異なる。前記テンプルバーがテンプルバー受け部５２４に通される場合、前記レッグが、前記カムローブとして働く。しかし、前記テンプルバーが孔５２２に通される場合、前記ステムが、前記カムローブとして働く。他の実施形態と同様に、前記眼鏡がユーザーによって装着されると、前記カムローブは、内向きに回転し、ユーザーの顔の横側を押して、前記眼鏡が前記ユーザーの鼻に接触して静止することを防止する。
【００４１】
次に図２１を参照すると、テンプルバーカムの別の選択肢としての実施形態が示され、全体として６００と称される。テンプルバーカム６００は、長く僅かに曲がったカムローブ６２０を有する。テンプルバー受け部６２４は、テンプルバーカム６００の上部面６５０から底部面まで延びている。横面６５６は、上部面６５０と底部面（図示せず）との間のテンプルバーカム６００の周囲を囲んでいる。
【００４２】
次に図２２を参照すると、テンプルバーカム６００が、眼鏡１１０のテンプルバーをテンプルバー受け部６２４に通すことによって使用されている。他の実施形態と同様に、前記眼鏡がユーザーによって装着されると、カムローブ６２０は、内向きに回転し、ユーザーの顔の横側を押して、前記眼鏡が前記ユーザーの鼻に接触して静止することを防止する。
【００４３】
次に図２３を参照すると、テンプルバーカムの別の選択肢としての実施形態が示され、全体として７００と称される。テンプルバーカム７００は、靴形状の断面を有し、前記靴形状の本体を形成するカムローブ７２０に２つの孔７２２Ａ及び７２２Ｂを、並びに前記靴形状のカラー部（ｃｏｌｌａｒ）にテンプルバー受け部７２４を備える。孔７２２Ａ及び７２２Ｂ、並びにテンプルバー受け部７２４は、テンプルバーカム７００の上部面７５０から底部面まで延びている。横面７５６は、前記靴形状の周囲を囲んでいる。
【００４４】
次に図２４を参照すると、テンプルバーカム７００が、眼鏡１１０のテンプルバーをテンプルバー受け部７２４に通すことによって使用されている。他の実施形態と同様に、前記眼鏡がユーザーによって装着されると、カムローブ７２０は、内向きに回転し、ユーザーの顔の横側を押して、前記眼鏡が前記ユーザーの鼻に接触して静止することを防止する。
【００４５】
次に図２５を参照すると、テンプルバーカム８００の別の選択肢としての実施形態の透視図は、眼鏡１１０のテンプルバー１１４を受けるための単一の連続孔８２４を有するように形成される。テンプルバーカム８００は、テンプルバーカム８００がユーザーの顔に接触して配置された場合に変形し、及び円筒形状のミニカメラ（この図には示さず）を受けるサイズとされたカメラ受け部として形成された、第一の変形可能孔８２２を備えて形成される。
【００４６】
図２６は、眼鏡１１０のテンプルバー１１４に取り付けられた場合の図２５のテンプルバーカム８００を示し、及び連続孔８２２の中に配置されるレンズ８８２を備えた挿入式ミニカメラ８８０を示す。
【００４７】
次に図２７を参照すると、テンプルバー１１４を受けるための、開口部２５４で分離された一対のテンプルバー受け部９２４を有するテンプルバーカム９００の別の選択肢としての実施形態の透視図である。テンプルバーカム９００は、他の実施形態に関して上記で述べたように、テンプルバーカム９００がユーザーの顔に接触して配置された場合に変形するように構成された第一の変形可能孔９２２を含む。第二の孔９２６は、レンズ８８２を有する円筒形状のミニカメラ８８０を受けるサイズとされたカメラ受け部として形成されている。この実施形態では、ミニカメラ８８０は、前記ユーザーの顔から離れた位置に配置されており、それによって、カメラ８８０のレンズ８８２は、カメラ８８０の視野が眼鏡１１０のフレームを避けることができる広げられた視野を有する。これによって、テンプルバーカム９００からの明瞭で遮るもののない前方の視界が得られる。
【００４８】
図２８を参照すると、眼鏡１１０のテンプルバー１１４に取り付けられた図２７のテンプルバーカム９００が示され、及び第二の連続孔９２６の中に配置された挿入式ミニカメラ８８０を示す。使用時、連続孔９２２は、テンプルバーカム９００が内向きに回転し、ユーザーの顔に接触して静止するに従って変形する。
【００４９】
本明細書で示し、述べたテンプルバーカムは、本発明を例示するものである。本明細書で述べるテンプルバーカムは、用途に適するいかなる材料で作られていてもよい。具体的な材料は、特定の設計に必要とされるデュロメーター硬度及び強度に応じて様々であってよく、プラスチック、金属、又は木材若しくはコルクなどの天然産物が挙げられるがこれらに限定されない材料の単独又は他の材料との組み合わせを含んでよいことは理解されたい。
【００５０】
本明細書で示したテンプルバーカムは、具体的な寸法又は相対的な形状寸法について言及することなく記載した。具体的には、本発明のテンプルバーカムは、本明細書で提示した例示的な実施形態に限定されず、本発明は、以下の請求項の範囲まで適用される。
【００５１】
本発明の好ましい実施形態として本発明で見なされる内容を示してきたが、当業者であれば、本発明の範囲及び趣旨から逸脱することなく、様々な変更及び改変が本明細書において成され得ることは明らかである。
【図１】
2020101795.tif 000003
【図２】
2020101795.tif 000004
【図３】
2020101795.tif 000005
【図４】
2020101795.tif 000006
【図５Ａ】
2020101795.tif 000007
【図５Ｂ】
2020101795.tif 000008
【図５Ｃ】
2020101795.tif 000009
【図６】
2020101795.tif 000010
【図７】
2020101795.tif 000011
【図８】
2020101795.tif 000012
【図９】
2020101795.tif 000013
【図１０】
2020101795.tif 000014
【図１１】
2020101795.tif 000015
【図１２】
2020101795.tif 000016
【図１３】
2020101795.tif 000017
【図１４】
2020101795.tif 000018
【図１５】
2020101795.tif 000019
【図１６】
2020101795.tif 000020
【図１７】
2020101795.tif 000021
【図１８】
2020101795.tif 000022
【図１９】
2020101795.tif 000023
【図２０】
2020101795.tif 000024
【図２１】
2020101795.tif 000025
【図２２】
2020101795.tif 000026
【図２３】
2020101795.tif 000027
【図２４】
2020101795.tif 000028
【図２５】
2020101795.tif 000029
【図２６】
2020101795.tif 000030
【図２７】
2020101795.tif 000031
【図２８】
2020101795.tif 000032
【外国語明細書】
2020101795000001.pdf